(57)【要約】【課題】清掃作業分担の判別が明確かつ容易な、清掃作業の時間割表及び分担表を提供する。【解決手段】健常者が行う清掃作業の、場所と、清掃項目と、該場所の該清掃項目に係る作業が、チャレンジドにさせてはいけない作業であることを示す記号と、健常者とチャレンジドとが一緒に行う作業であることを示す記号と、チャレンジドが単独でできる作業であることを示す記号と、のいずれか一つの記号と、が記載される欄と、チャレンジドが行う清掃作業の、場所と、清掃項目と、該場所の該清掃項目に係る作業が、チャレンジドにさせてはいけない作業であることを示す記号と、健常者とチャレンジドとが一緒に行う作業であることを示す記号と、チャレンジドが単独でできる作業であることを示す記号と、のいずれか一つの記号と、が記載される欄と、時刻が記載される欄と、が横方向に並んで配置される。【選択図】図１
0003188416.tif 000002
【実用新案登録請求の範囲】
【請求項１】
健常者とチャレンジドが行う清掃作業の時間割表であって、
前記健常者が行う清掃作業の、
場所と、
清掃項目と、
該場所の該清掃項目に係る作業が、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号と、
が記載される欄と、
前記チャレンジドが行う清掃作業の、
場所と、
清掃項目と、
該場所の該清掃項目に係る作業が、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号と、
が記載される欄と、
時刻が記載される欄と、
が横方向に並んで配置されたことを特徴とする清掃作業の時間割表。
【請求項２】
健常者とチャレンジドが行う清掃作業における作業項目の分担表であって、
縦方向に並んで配置され、清掃作業の項目が記入される欄と、
前記清掃作業の項目が記入される欄の横に設けられ、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号と、のいずれか一つの記号が記載される欄と、
を備えることを特徴とする清掃作業の分担表。
【考案の詳細な説明】
【技術分野】
【０００１】
本発明は、健常者と障害者が一体となって行う清掃作業の時間割表及び分担表に関する。ここでの「障害者」には、身体機能障害者、身体障害者、知的障害者を含む。
【背景技術】
【０００２】
従来、ビルや建物の清掃については、障害者（以下「チャレンジド」という。）の方々が単独で行うには、化学薬品（以下「ケミカル」という。）の使用について複雑な理解を必要とするため、困難であった。
【０００３】
一方、近年、清掃方法については、環境保護の観点から、ケミカルの使用については、極力、控えるべきとの要請がでている。とりわけ、北欧においては、ケミカルを使用した清掃について、既に、禁止をしている国も存在する。
【０００４】
そこで、出願人は、ケミカルを使用しない清掃について、ここ数年考察を続けている。
【０００５】
とりわけ、特願２００５−３４１２６２号においては、ナノバブル水が清掃対象物に良く付着することに着目して、ケミカルを使用しない清掃方法について、特許出願をしている。
【先行技術文献】
【特許文献】
【０００６】
【特許文献１】特開２００７−１４５９６１号
【０００７】
この流れでいくと、将来、水だけで清掃する方法が実現することになり、とすれば、薬害のない安全な清掃方法が提供できるようになる。このことは、チャレンジドにとっても、安全な清掃作業となるので、これらの方々の社会での活躍の場も増えることになる。
【０００８】
とりわけ、老人保健施設（老人福祉施設を含む）では、チャレンジドの方々が健常者の手助けを得ることなく単独で清掃した場合は、非常に喜ばれる結果を生み出している。
よって、今後は、このチャレンジドの方々が単独でどのような清掃分担をすべきかを考察するのが妥当である。
【考案の概要】
【考案が解決しようとする課題】
【０００９】
清掃作業について、健常者とチャレンジドが一体となって行われる場合、作業に先立ち、作業者に対して作業の分担が知らされる。その際、作業の分担について整理された表を用いて行われると、作業ごとに作業者の分担の判別が明確かつ容易となるため望ましい。また、それぞれの作業項目について、特に、チャレンジドに行わせてはならない作業及びチャレンジドと健常者が一緒にする作業である場合、その旨を作業者に充分認識させておく必要がある。このような事情に鑑み、本考案では、清掃作業ごとの清掃作業者の判別が明確かつ容易であるとともに、清掃作業が、チャレンジド単独でできる作業と、チャレンジドにさせてはいけない作業と、チャレンジドと健常者が一緒にする作業と、のいずれであるかを示すことができる、清掃作業の時間割表及び分担表を提供することを目的とする。
【課題を解決するための手段】
【００１０】
上記の課題を解決するための請求項１に係る考案は、健常者とチャレンジドが行う清掃作業の時間割表であって、健常者が行う清掃作業の、場所と、清掃項目と、該場所の該清掃項目に係る作業が、チャレンジドにさせてはいけない作業であることを示す記号と、健常者とチャレンジドとが一緒に行う作業であることを示す記号と、チャレンジドが単独でできる作業であることを示す記号と、のいずれか一つの記号と、が記載される欄と、チャレンジドが行う清掃作業の、場所と、清掃項目と、該場所の該清掃項目に係る作業が、チャレンジドにさせてはいけない作業であることを示す記号と、健常者とチャレンジドとが一緒に行う作業であることを示す記号と、チャレンジドが単独でできる作業であることを示す記号と、のいずれか一つの記号と、が記載される欄と、時刻が記載される欄と、が横方向に並んで配置されたことを特徴とする清掃作業の時間割表である。
【００１１】
上記の課題を解決するための請求項２に係る考案は、健常者とチャレンジドが行う清掃作業における作業項目の分担表であって、縦方向に並んで配置され、清掃作業の項目が記入される欄と、清掃作業の項目が記入される欄の横に設けられ、チャレンジドにさせてはいけない作業であることを示す記号と、健常者とチャレンジドとが一緒に行う作業であることを示す記号と、チャレンジドが単独でできる作業であることを示す記号と、のいずれか一つの記号と、のいずれか一つの記号が記載される欄と、を備えることを特徴とする清掃作業の分担表である。
【考案の効果】
【００１２】
清掃作業ごとの清掃作業者の判別が明確かつ容易であるとともに、清掃作業が、チャレンジド単独でできる作業と、チャレンジドにさせてはいけない作業と、チャレンジドと健常者が一緒にする作業と、のいずれであるかを示すことができる、清掃作業の時間割表及び分担表を提供することができる。
【図面の簡単な説明】
【００１３】
【図１】本考案の時間割表の一例である。
【図２】本考案の時間割表の一例である。
【図３】本考案の分担表の一例である。
【考案を実施するための形態】
【００１４】
老人保健施設（老人福祉施設を含む）での清掃に関する時間割表の一例について、説明する。通常、老人保健施設（老人福祉施設を含む）では、フルタイムとパートタイムの健常者による役割分担を行い作業に従事し、場合によってはチャレンジドと一緒に清掃を行う。そして、タイムスケジュールを清掃担当者ごとに決め、その作業時間及び作業内容を記載する（図１、図２）。フルタイム、パートタイム、チャレンジドのそれぞれについて、時間の経過に対する作業内容が分かるようになっている。図１はパートタイム仕様で、午前は、フルタイムとパートタイムが組み、午後は、フルタイムとチャレンジドが組む。図２はフルタイム仕様で、午前・午後ともフルタイムとチャレンジドが組む。
【００１５】
施設には、一般に、浴室・トイレ・廊下があり、こちらは汚れが多く、特殊なケミカルを使用するので健常者が中心になって行う。一方、居室については、薬剤が少ないか又は薬剤のない水だけの洗浄による場合があり、比較的、単純な作業も多いので、チャレンジドが単独でも可能である。具体的には、ピンポイントウエットモッピング、隅清掃、洗面台拭き上げがある。これらは、チャレンジドが単独でもできる。また、食堂等、施設利用者を接する場所においては、健常者の管理の下、チャレンジドが可能な作業を分担する。
【００１６】
図１及び図２に示す時間割表の清掃の場所及び項目が記載される欄には、◎と○と▲のいずれかの記号が記載されている。この記号は、記載された清掃場所における作業項目について、チャレンジド単独でできる作業と、チャレンジドにさせてはいけない作業と、チャレンジドと健常者が一緒にする作業と、のいずれであるかを示すものであり、それぞれ、○、▲、◎の各記号を付すことでそれぞれ判別が可能となっている。
【００１７】
次に、図３について、説明する。図３は、健常者とチャレンジドの作業分担表の一例である。これは、◎と○と▲が清掃項目ごとに記載されている。○は、チャレンジド単独でできる作業である。▲は、チャレンジドにさせてはいけない作業である。◎は、チャレンジドと健常者が一緒にする作業である。これは、１．一緒におこない。２．場所を決める。３．時間を決める。４．区分けシステムから、構築される。
【００１８】
清掃対象施設毎の特性とチャレンジドの能力に応じて、タスクと作業分担を決定する。例えば、吐しゃ物、排泄物処理等、誤った処理方法により感染を引き起こす可能性のある作業や、取り扱いの難しいケミカルを使用する作業は、チャレンジドにさせてはいけない。
【００１９】
ゴミ回収においても、病院の医療廃棄物等取り扱いに注意を要するゴミについては、チャレンンジドにさせてはいけない。また、居室等で施設利用者の私物に触れない様、健常者は注意する。
【００２０】
床掃除においては、スイーパーや自動床洗浄機などの機械を使う作業は、チャレンジドには難しいことが分かった。一方で、モッピングやダスティングについては、チャレンジドが単独でできることが分かった。
【図１】
0003188416.tif 000003
【図２】
0003188416.tif 000004
【図３】
0003188416.tif 000005
【手続補正書】
【提出日】平成25年11月11日(2013.11.11)
【手続補正１】
【補正対象書類名】実用新案登録請求の範囲
【補正対象項目名】全文
【補正方法】変更
【補正の内容】
【実用新案登録請求の範囲】
【請求項１】
健常者とチャレンジドが行う清掃作業の時間割表であって、
前記健常者が行う清掃作業の、
場所と、
清掃項目と、
該場所の該清掃項目に係る作業が、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号と、
が記載される欄と、
前記チャレンジドが行う清掃作業の、
場所と、
清掃項目と、
該場所の該清掃項目に係る作業が、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号と、
が記載される欄と、
時刻が記載される欄と、
が横方向に並んで配置されたことを特徴とする清掃作業の時間割表。
【請求項２】
健常者とチャレンジドが行う清掃作業における作業項目の分担表であって、
縦方向に並んで配置され、清掃作業の項目が記入される欄と、
前記清掃作業の項目が記入される欄の横に設けられ、前記チャレンジドにさせてはいけない作業であることを示す記号と、前記健常者と前記チャレンジドとが一緒に行う作業であることを示す記号と、前記チャレンジドが単独でできる作業であることを示す記号と、のいずれか一つの記号が記載される欄と、
を備えることを特徴とする清掃作業の分担表。
【手続補正２】
【補正対象書類名】明細書
【補正対象項目名】００１１
【補正方法】変更
【補正の内容】
【００１１】
上記の課題を解決するための請求項２に係る考案は、健常者とチャレンジドが行う清掃作業における作業項目の分担表であって、縦方向に並んで配置され、清掃作業の項目が記入される欄と、清掃作業の項目が記入される欄の横に設けられ、チャレンジドにさせてはいけない作業であることを示す記号と、健常者とチャレンジドとが一緒に行う作業であることを示す記号と、チャレンジドが単独でできる作業であることを示す記号と、のいずれか一つの記号が記載される欄と、を備えることを特徴とする清掃作業の分担表である。